(57)【要約】【課題】画質を高めることができる画像診断システムを得る。【解決手段】本発明の画像診断システムは、サーバと、携帯端末とを備える。サーバは、記録媒体に形成された診断対象画像に基づいて得られた全体画像データにおいて、着目画像の位置、および着目画像に対応する第１のランドマーク画像の位置を算出する位置算出部を有し、携帯端末は、診断対象画像を撮像することにより画像データを生成する撮像部を有し、サーバまたは携帯端末は、画像データにおける第１のランドマーク画像を検出し、全体画像データにおける着目画像および第１のランドマーク画像の間の位置関係と、画像データにおける第１のランドマーク画像の位置とに基づいて、画像データにおける案内マークの位置を算出する案内情報生成部を有し、携帯端末は、画像データおよび案内マークを同時に表示する表示部を有する。撮像部は、診断対象画像に関連する関連画像データを生成する。【選択図】図３
2020140366.tif 000002
【特許請求の範囲】
【請求項１】
サーバと、
前記サーバと通信を行う携帯端末と
を備え、
前記サーバは、記録媒体に形成され、複数のランドマーク画像および着目画像を含む診断対象画像に基づいて得られた全体画像データにおける、前記着目画像の位置、および前記複数のランドマーク画像のうちの前記着目画像に対応する第１のランドマーク画像の位置を算出する位置算出部を有し、
前記携帯端末は、前記診断対象画像を撮像することにより画像データを生成する撮像部を有し、
前記サーバまたは前記携帯端末は、前記画像データにおける前記第１のランドマーク画像を検出し、前記全体画像データにおける前記着目画像および前記第１のランドマーク画像の間の位置関係と、前記画像データにおける前記第１のランドマーク画像の位置とに基づいて、前記画像データにおける前記着目画像に配置されるべき案内マークの位置を算出する案内情報生成部を有し、
前記携帯端末は、前記画像データおよび前記案内マークを同時に表示する表示部を有し、
前記撮像部は、前記表示部が前記案内マークを表示した後に、前記診断対象画像に関連する関連画像データを生成する
画像診断システム。
【請求項２】
前記関連画像データは、前記診断対象画像の拡大画像データである
請求項１に記載の画像診断システム。
【請求項３】
前記位置算出部は、さらに、前記全体画像データに基づいて、前記着目画像の大きさを算出し、
前記案内情報生成部は、さらに、前記画像データにおける前記第１のランドマーク画像の大きさを検出し、前記全体画像データにおける前記第１のランドマーク画像の大きさと、前記画像データにおける、検出された前記第１のランドマーク画像の大きさと、前記位置算出部により算出された前記着目画像の大きさとに基づいて、前記案内マークの大きさを算出する
請求項１または請求項２に記載の画像診断システム。
【請求項４】
前記位置算出部は、さらに、前記全体画像データにおける、前記着目画像の大きさと、前記複数のランドマーク画像のうちの第２のランドマーク画像の位置を算出し、
前記案内情報生成部は、さらに、前記画像データにおける前記第２のランドマーク画像を検出し、前記全体画像データにおける前記第１のランドマーク画像および前記第２のランドマーク画像の間の第１の距離と、前記画像データにおける前記第１のランドマーク画像および前記第２のランドマーク画像の間の第２の距離と、前記位置算出部により算出された前記着目画像の大きさとに基づいて、前記案内マークの大きさを算出する
請求項１または請求項２に記載の画像診断システム。
【請求項５】
前記画像データにおいて、前記案内マークの大きさは、前記着目画像の大きさに対応している
請求項３または請求項４に記載の画像診断システム。
【請求項６】
前記表示部は、前記画像データおよび前記案内マークに加え、前記案内マークを配置すべき位置を示す基準マークを同時に表示し、
前記撮像部は、前記案内マークの位置および大きさが、前記基準マークの位置および大きさに応じた位置および大きさに調整された後に、前記関連画像データを生成する
請求項３から請求項５のいずれか一項に記載の画像診断システム。
【請求項７】
前記撮像部は、前記案内マークの大きさが、前記表示部における表示領域の大きさに応じた大きさに調整された後に、前記関連画像データを生成する
請求項３から請求項５のいずれか一項に記載の画像診断システム。
【請求項８】
前記案内情報生成部は、前記画像データにおける前記案内マークの位置および大きさの一方または双方を調整する方法をユーザに通知すべき指示情報を生成する
請求項３から請求項７のいずれか一項に記載の画像診断システム。
【請求項９】
前記指示情報は、前記携帯端末と前記診断対象画像が形成された前記記録媒体との間の距離を調整すべき旨の指示を含む
請求項８に記載の画像診断システム。
【請求項１０】
前記携帯端末は、前記案内マークの位置および大きさを調整する操作を受け付ける操作部を有し、
前記撮像部は、前記操作部からの指示に基づいて、撮像範囲を設定する
請求項３から請求項９のいずれか一項に記載の画像診断システム。
【請求項１１】
前記案内マークは、前記着目画像のうちの少なくとも一部を囲う枠形状を有する
請求項１から請求項１０のいずれか一項に記載の画像診断システム。
【請求項１２】
前記第１のランドマーク画像は、文字、数字、および記号のうちの１以上を含む
請求項１から請求項１１のいずれか一項に記載の画像診断システム。
【請求項１３】
前記診断対象画像は、画像形成装置により前記記録媒体に形成され、
前記サーバは、前記関連画像データに基づいて画像診断を行うことにより、前記画像形成装置における画像形成パラメータの設定値を生成する画像診断部を有する
請求項１から請求項１２のいずれか一項に記載の画像診断システム。
【請求項１４】
記録媒体に形成され、複数のランドマーク画像および着目画像を含む診断対象画像に基づいて得られた全体画像データにおける、前記着目画像の位置、および前記複数のランドマーク画像のうちの前記着目画像に対応する第１のランドマーク画像の位置を算出する位置算出部と、
前記診断対象画像を撮像することにより、画像データを生成する撮像部と、
前記画像データにおける前記第１のランドマーク画像を検出し、前記全体画像データにおける前記着目画像および前記第１のランドマーク画像の間の位置関係と、前記画像データにおける前記第１のランドマーク画像の位置とに基づいて、前記画像データにおける前記着目画像に配置されるべき案内マークの位置を算出する案内情報生成部と、
前記画像データおよび前記案内マークを同時に表示する表示部と
を備え、
前記撮像部は、前記表示部が前記案内マークを表示した後に、前記診断対象画像に関連する関連画像データを生成する
画像診断装置。
【請求項１５】
記録媒体に形成され、複数のランドマーク画像および着目画像を含む診断対象画像に基づいて得られた全体画像データにおける、前記着目画像の位置、および前記複数のランドマーク画像のうちの前記着目画像に対応する第１のランドマーク画像の位置を算出することと、
前記診断対象画像を撮像することにより、画像データを生成することと、
前記画像データにおける前記第１のランドマーク画像を検出することと、
前記全体画像データにおける前記着目画像および前記第１のランドマーク画像の間の位置関係と、前記画像データにおける前記第１のランドマーク画像の位置とに基づいて、前記画像データにおける前記着目画像に配置されるべき案内マークの位置を算出することと、
前記画像データおよび前記案内マークを同時に表示することと、
前記案内マークを表示した後に、前記診断対象画像に関連する関連画像データを生成することと
を含む画像診断方法。
【発明の詳細な説明】
【技術分野】
【０００１】
本発明は、画像形成装置により形成された画像を診断する画像診断システム、画像診断装置、および画像診断方法に関する。
【背景技術】
【０００２】
画像形成装置には、画像形成条件を調整することにより、形成した画像の品質の維持を図るものがある。例えば、特許文献１には、カラーチャートの画像を外部装置から受信し、受信した画像に基づいてカラー印刷濃度の調整を行う画像形成装置が開示されている。
【先行技術文献】
【特許文献】
【０００３】
【特許文献１】特開２０１７−１３２１２６号公報
【発明の概要】
【発明が解決しようとする課題】
【０００４】
このように、画像形成装置では、形成した画像の品質が高いことが望まれており、さらなる画質の向上が期待されている。
【０００５】
画質を高めることができる画像診断システム、画像診断装置、および画像診断方法を提供することが望ましい。
【課題を解決するための手段】
【０００６】
本発明の一実施の形態における画像診断システムは、サーバと、通信を行う携帯端末とを備えている。サーバは、記録媒体に形成され、複数のランドマーク画像および着目画像を含む診断対象画像に基づいて得られた全体画像データにおける、着目画像の位置、および複数のランドマーク画像のうちの着目画像に対応する第１のランドマーク画像の位置を算出する位置算出部を有する。携帯端末は、診断対象画像を撮像することにより画像データを生成する撮像部を有する。サーバまたは携帯端末は、案内情報生成部を有する。案内情報生成部は、画像データにおける第１のランドマーク画像を検出し、全体画像データにおける着目画像および第１のランドマーク画像の間の位置関係と、画像データにおける第１のランドマーク画像の位置とに基づいて、画像データにおける着目画像に配置されるべき案内マークの位置を算出するように構成される。携帯端末は、画像データおよび案内マークを同時に表示する表示部を有する。上記撮像部は、表示部が案内マークを表示した後に、上記診断対象画像に関連する関連画像データを生成するように構成される。
【０００７】
本発明の一実施の形態における画像診断装置は、位置算出部と、撮像部と、案内情報生成部と、表示部とを備えている。位置算出部は、記録媒体に形成され、複数のランドマーク画像および着目画像を含む診断対象画像に基づいて得られた全体画像データにおける、着目画像の位置、および複数のランドマーク画像のうちの着目画像に対応する第１のランドマーク画像の位置を算出するように構成される。撮像部は、診断対象画像を撮像することにより、画像データを生成するように構成される。案内情報生成部は、画像データにおける第１のランドマーク画像を検出し、全体画像データにおける着目画像および第１のランドマーク画像の間の位置関係と、画像データにおける第１のランドマーク画像の位置とに基づいて、画像データにおける着目画像に配置されるべき案内マークの位置を算出するように構成される。表示部は、画像データおよび案内マークを同時に表示するように構成される。上記撮像部は、表示部が案内マークを表示した後に、診断対象画像に関連する関連画像データを生成するように構成される。
【０００８】
本発明の一実施の形態における画像診断方法は、記録媒体に形成され、複数のランドマーク画像および着目画像を含む診断対象画像に基づいて得られた全体画像データにおける、着目画像の位置、および複数のランドマーク画像のうちの着目画像に対応する第１のランドマーク画像の位置を算出することと、診断対象画像を撮像することにより、画像データを生成することと、画像データにおける第１のランドマーク画像を検出することと、全体画像データにおける着目画像および第１のランドマーク画像の間の位置関係と、画像データにおける第１のランドマーク画像の位置とに基づいて、画像データにおける着目画像に配置されるべき案内マークの位置を算出することと、画像データおよび案内マークを同時に表示することと、案内マークを表示した後に、診断対象画像に関連する関連画像データを生成することとを含む。
【発明の効果】
【０００９】
本発明の一実施の形態における画像診断システム、画像診断装置、および画像診断方法によれば、診断対象画像を撮像することにより生成された画像データにおける第１のランドマーク画像を検出し、全体画像データにおける着目画像および第１のランドマーク画像の間の位置関係と、画像データにおける第１のランドマーク画像の位置とに基づいて、画像データにおける着目画像に配置されるべき案内マークの位置を算出し、画像データおよび案内マークの位置を同時に表示し、案内マークを表示した後に、診断対象画像に関連する関連画像データを生成するようにしたので、画質を高めることできる。
【図面の簡単な説明】
【００１０】
【図１】一実施の形態に係る画像診断システムの一構成例を表すブロック図である。
【図２Ａ】診断チャートの一例を表す説明図である。
【図２Ｂ】診断チャートの一例を表す他の説明図である。
【図３】図１に示した画像診断システムの一動作例を表すフローチャートである。
【図４】図１に示した画像診断システムの一動作例を表すシーケンス図である。
【図５】図３に示した処理の一例を表す説明図である。
【図６】図１に示した画像診断システムの一動作例を表す他のフローチャートである。
【図７】図６に示した処理の一例を表す説明図である。
【図８】図６に示した処理の一例を表す他の説明図である。
【図９】図６に示した処理の一例を表す他の説明図である。
【図１０】図６に示した処理の一例を表す他の説明図である。
【図１１】変形例に係る画像診断システムの一構成例を表すブロック図である。
【図１２】図１０に示した画像診断システムの一動作例を表すシーケンス図である。
【図１３】変形例に係る診断チャートの一例を表す説明図である。
【発明を実施するための形態】
【００１１】
以下、本発明の実施の形態について、図面を参照して詳細に説明する。
【００１２】
＜実施の形態＞
［構成例］
図１は、本発明の一実施の形態に係る画像診断システム（画像診断システム１）の一構成例を表すものである。なお、本発明の実施の形態に係る画像診断方法は、本実施の形態により具現化されるので、併せて説明する。画像診断システム１は、サーバ２０と、携帯端末３０と、画像形成装置４０とを備えている。
【００１３】
サーバ２０、携帯端末３０、および画像形成装置４０は、インターネットなどのネットワークＮＥＴに接続されている。サーバ２０は、例えば、有線ＬＡＮ（Local Area Network）や無線ＬＡＮを介してネットワークＮＥＴに接続される。画像形成装置４０は、例えば、有線ＬＡＮや無線ＬＡＮを介してネットワークＮＥＴに接続されている。携帯端末３０は、例えば、ＬＴＥ（Long Term Evolution）や無線ＬＡＮを介してネットワークＮＥＴに接続されている。この構成により、サーバ２０、携帯端末３０、および画像形成装置４０は、互いに通信することができるようになっている。
【００１４】
画像診断システム１では、画像形成装置４０の画質を診断するために、まず、画像形成装置４０が、画像形成動作を行うことにより、紙などの記録媒体に診断チャートＤＣを形成する。
【００１５】
図２Ａは、診断チャートＤＣの一例を表すものである。図２Ａにおいて、網かけ部は、この例では黒色に塗りつぶされていることを示す。この診断チャートＤＣは、複数のランドマーク画像ＬＭを含んでいる。複数のランドマーク画像ＬＭは、この例では、所定の大きさを有し、数字を含むマークであり、診断チャートＤＣにおける１２個の位置に、所定の間隔をあけて配置される。これらの複数のランドマーク画像ＬＭには、診断チャートＤＣにおける配置位置に応じて、“１”から“１２”までの互いに異なる数字が用いられている。ランドマーク画像ＬＭは、後述するように、画像における不良が生じている位置を特定するために用いられる。なお、この例では、数字を用いてランドマーク画像ＬＭを構成したが、これに限定されるものではなく、文字であってもよいし、記号であってもよい。
【００１６】
図２Ｂは、診断チャートＤＣの他の例を表すものである。この例では、画像に不良が発生しており、診断チャートＤＣは不良画像ＤＥＦを含んでいる。この例では、不良画像ＤＥＦは、“８”を示すランドマーク画像ＬＭの右下に形成される。
【００１７】
画像診断システム１では、携帯端末３０は、ユーザの操作に基づいて、記録媒体に形成された診断チャートＤＣの全体を撮像することにより、診断画像データＡを生成する。サーバ２０は、この診断画像データＡに基づいて、画像に不良が発生しているかどうかを診断する。図２Ｂに示したように、画像に不良が発生している場合には、携帯端末３０は、例えばユーザの操作に基づいて、この診断チャートＤＣにおける不良画像ＤＥＦを拡大して撮像することにより、診断画像データＢを生成する。その際、携帯端末３０は、ランドマーク画像ＬＭに基づいて不良画像ＤＥＦの位置および大きさを特定し、その不良画像ＤＥＦを拡大して撮像するようにユーザに促す。すなわち、この例では、不良画像ＤＥＦに着目し不良画像ＤＥＦを撮像する。サーバ２０は、この診断画像データＢに基づいて、不良の種別を診断し、その診断結果に基づいて、不良の改善を図ることが可能な印刷設定値ＰＳを生成する。画像形成装置４０は、この印刷設定値ＰＳに基づいて画像形成条件を更新する。これにより、画像診断システム１では、画質を高めることができるようになっている。
【００１８】
サーバ２０は、通信部２１と、制御部２２と、記憶部２６とを有する。
【００１９】
通信部２１は、例えばネットワークＮＥＴを介して携帯端末３０および画像形成装置４０と通信を行うように構成される。この例では、通信部２１は、携帯端末３０から、診断チャートＤＣの全体画像を示す診断画像データＡ、および診断チャートＤＣにおける不良画像ＤＥＦの拡大画像を示す診断画像データＢを受信する。また、通信部２１は、携帯端末３０に対して不良画像データＤＩおよび不良属性情報ＡＴＲ（後述）を送信し、画像形成装置４０に対して印刷設定値ＰＳを送信するようになっている。
【００２０】
制御部２２は、サーバ２０内の各ブロックの動作を制御することによりサーバ２０の全体動作を制御するように構成される。制御部２２は、例えば、プログラムを実行可能なプロセッサやＲＡＭ（Random Access Memory）などを含んで構成される。制御部２２は、第１の画像診断部２３と、第２の画像診断部２４と、印刷設定値生成部２５とを有している。
【００２１】
第１の画像診断部２３は、通信部２１が受信した診断画像データＡを診断するように構成される。具体的には、第１の画像診断部２３は、例えば、診断チャートＤＣの全体画像を示す診断画像データＡに含まれる最も著しい不良画像ＤＥＦを診断する。そして、第１の画像診断部２３は、その診断画像データＡにおける不良画像ＤＥＦの位置および大きさ、およびその不良画像ＤＥＦに対応するランドマーク画像ＬＭ（ランドマーク画像ＬＭ１）の位置を算出する。そして、第１の画像診断部２３は、不良画像ＤＥＦに基づいて不良画像データＤＩを生成するとともに、診断画像データＡにおける不良画像ＤＥＦの位置および大きさ、およびランドマーク画像ＬＭ１の位置についての情報に基づいて、不良属性情報ＡＴＲを生成するようになっている。
【００２２】
第２の画像診断部２４は、通信部２１が受信した診断画像データＢを診断するように構成される。具体的には、第２の画像診断部２４は、例えば、不良画像ＤＥＦの拡大画像を示す診断画像データＢに基づいて、記憶部２６に記憶された不良判別情報２７（後述）を用いて、この不良画像ＤＥＦがどの不良の種別に該当するかを診断するようになっている。
【００２３】
印刷設定値生成部２５は、記憶部２６に記憶された不良判別情報２７（後述）に基づいて、診断チャートＤＣを形成した画像形成装置４０における、不良の改善を図ることが可能な印刷設定値ＰＳを生成するように構成される。印刷設定値生成部２５は、例えば、定着温度、各種印加電圧などの様々な画像形成パラメータの設定値を生成するようになっている。
【００２４】
記憶部２６は、サーバ２０において用いられる各種プログラム、各種設定、画像データなどの様々なデータを記憶するように構成される。記憶部２６は、例えば、不揮発性のメモリを含んで構成される。記憶部２６には、不良判別情報２７が記憶されている。
【００２５】
不良判別情報２７は、例えば、不良の種別についての情報と、その不良の種別に対応する不良画像の特徴についての情報と、その不良の改善を図ることが可能な画像形成パラメータの設定値についての情報を含んで構成される。不良の種別は、例えば、かすれ、ちり、画ずれなどが含まれる。この不良判別情報２７は、例えば、図示しない機械学習を行う装置が、様々な不良画像のサンプルから特徴量を抽出し、抽出した特徴量を用いて不良の種別を分類することにより、生成される。第２の画像診断部２４は、この不良判別情報２７を用いて、不良画像ＤＥＦがどの不良の種別に該当するかを診断することができる。また、印刷設定値生成部２５は、この不良判別情報２７を用いて、不良の改善を図ることが可能な印刷設定値ＰＳを生成するようになっている。
【００２６】
携帯端末３０は、例えばスマートフォンやタブレット端末である。携帯端末３０は、通信部３１と、制御部３２と、記憶部３４と、操作部３５と、表示部３６と、撮像部３７とを有する。
【００２７】
通信部３１は、例えばネットワークＮＥＴを介してサーバ２０および画像形成装置４０と通信を行うように構成される。この例では、通信部３１は、サーバ２０に対して、診断チャートＤＣの全体画像を示す診断画像データＡ、および診断チャートＤＣにおける不良画像ＤＥＦの拡大画像を示す診断画像データＢを送信する。また、通信部３１は、サーバ２０から、不良画像データＤＩおよび不良属性情報ＡＴＲを受信するようになっている。
【００２８】
制御部３２は、携帯端末３０内の各ブロックの動作を制御することにより携帯端末３０の全体動作を制御するように構成される。制御部３２は、例えば、プログラムを実行可能なプロセッサやＲＡＭなどを含んで構成される。制御部３２は、案内情報生成部３３を有している。
【００２９】
案内情報生成部３３は、撮像部３７が生成した現撮像画像データＩＭＧ１、および通信部３１が受信した不良属性情報ＡＴＲに基づいて、表示部３６に表示される、案内マークＭ１、照準マークＭ２、および操作指示情報ＮＡＶＩを生成するように構成される。案内マークＭ１は、不良画像ＤＥＦの位置に配置されるマークである。照準マークＭ２は、後述するように、不良画像ＤＥＦを拡大して撮像するために、案内マークＭ１が配置されるべき位置を示すマークである。操作指示情報ＮＡＶＩは、不良画像ＤＥＦを拡大して撮像するようにユーザに促すメッセージ情報である。この例では、操作指示情報ＮＡＶＩは、表示部３６に表示される文字情報である。なお、これに限定されるものではなく、操作指示情報ＮＡＶＩは、表示部３６に表示されるアニメーションであってもよいし、ユーザへの操作指示を含む音声情報であってもよい。
【００３０】
記憶部３４は、携帯端末３０において用いられる各種プログラム、各種設定、画像データなど様々なデータを記憶するように構成される。記憶部３４は、例えば、不揮発性のメモリを含んで構成される。
【００３１】
操作部３５は、ユーザの操作を受け付けるように構成される。操作部３５は、例えば、各種ボタンやタッチパネルなどを用いて構成される。
【００３２】
表示部３６は、携帯端末３０の動作状態や撮像画像データなどを表示するように構成される。表示部３６は、例えば、液晶ディスプレイや各種インジケータを用いて構成される。
【００３３】
撮像部３７は、画像を撮像するように構成される。撮像部３７は、例えば、光学レンズ、ＣＭＯＳ（Complementary Metal Oxide Semiconductor）撮像素子などを用いて構成される。
【００３４】
画像形成装置４０は、例えばプリンタであり、トナーなどの現像剤を用いて画像形成動作を行うことにより、紙などの記録媒体にモノクロ画像やカラー画像を形成するように構成される。
【００３５】
ここで、診断チャートＤＣは、本発明における「診断対象画像」の一具体例に対応する。不良画像ＤＥＦは、本発明における「着目画像」の一具体例に対応する。診断画像データＡは、本発明における「全体画像データ」の一具体例に対応する。第１の画像診断部２３は、本発明における「位置算出部」の一具体例に対応する。現撮像画像データＩＭＧ１は、本発明における「画像データ」の一具体例に対応する。案内情報生成部３３は、本発明における「案内情報生成部」の一具体例に対応する。診断画像データＢは、本発明における「関連画像データ」の一具体例に対応する。第２の画像診断部２４および印刷設定値生成部２５は、本発明における「画像診断部」の一具体例に対応する。
【００３６】
［動作および作用］
続いて、本実施の形態の画像診断システム１の動作および作用について説明する。
【００３７】
（全体動作概要）
まず、図１を参照して、画像診断システム１の全体動作概要を説明する。まず、携帯端末３０の撮像部３７は、ユーザの操作に基づいて、画像形成装置４０により紙などの記録媒体に形成された診断チャートＤＣの全体を撮像することにより、診断画像データＡを生成する。サーバ２０の第１の画像診断部２３は、診断チャートＤＣの全体画像を示す診断画像データＡに基づいて診断を行うことにより、不良画像データＤＩおよび不良属性情報ＡＴＲを生成する。携帯端末３０の案内情報生成部３３は、不良属性情報ＡＴＲに基づいて、案内マークＭ１、照準マークＭ２、および操作指示情報ＮＡＶＩを生成する。表示部３６は、これらの案内マークＭ１、照準マークＭ２、および操作指示情報ＮＡＶＩを表示することにより、診断チャートＤＣにおける不良画像ＤＥＦを拡大して撮像するように、ユーザに促す。携帯端末３０の撮像部３７は、診断チャートＤＣにおける不良画像ＤＥＦを拡大して撮像することにより、診断画像データＢを生成する。サーバ２０の第２の画像診断部２４は、診断チャートＤＣにおける不良画像ＤＥＦの拡大画像を示す診断画像データＢに基づいて、記憶部２６に記憶された不良判別情報２７を用いて、不良の種別を診断する。そして、印刷設定値生成部２５は、その診断結果に基づいて、不良の改善を図ることが可能な印刷設定値ＰＳを生成する。画像形成装置４０は、この印刷設定値ＰＳに基づいて画像形成条件を更新する。
【００３８】
（詳細動作）
図３は、画像診断システム１の一動作例を表すものである。
【００３９】
まず、画像形成装置４０は、紙などの記録媒体に診断チャートＤＣを形成する（ステップＳ１０１）。具体的には、画像形成装置４０は、例えば、携帯端末３０から送信された、複数のランドマーク画像ＬＭを含む所定の診断チャートデータに基づいて、記録媒体に診断チャートＤＣを形成する。画像形成装置４０が形成する画像に不良が生じていない場合には、例えば図２Ａに示したような診断チャートＤＣが得られ、不良が生じている場合には、例えば図２Ｂに示したような診断チャートＤＣが得られる。
【００４０】
次に、携帯端末３０の撮像部３７は、ユーザの操作に基づいて、診断チャートＤＣの全体を撮像範囲に含むように撮像を行うことにより、診断画像データＡを生成する（ステップＳ１０２）。携帯端末３０の通信部３１は、この診断画像データＡを、ネットワークＮＥＴを介してサーバ２０に対して送信する。サーバ２０の通信部２１は、この診断画像データＡを受信する。
【００４１】
次に、サーバ２０の第１の画像診断部２３は、この診断画像データＡに基づいて、第１の画像診断を行う（ステップＳ１０３）。第１の画像診断部２３は、この第１の画像診断により、画像に不良が発生したか否かを判定する（ステップＳ１０４）。画像に不良が発生していない場合（ステップＳ１０４において“ＮＯ”）には、この処理は終了する。この場合には、例えば、サーバ２０は、携帯端末３０に対して、不良が発生していない旨の通知を行い、携帯端末３０の表示部３６が、不良が発生していない旨の情報を表示することができる。
【００４２】
ステップＳ１０４において、画像に不良が発生した場合（ステップＳ１０４において“ＹＥＳ”）には、サーバ２０の第１の画像診断部２３は、不良画像データＤＩおよび不良属性情報ＡＴＲを生成する（ステップＳ１０５）。具体的には、第１の画像診断部２３は、例えば、診断チャートＤＣの全体画像を示す診断画像データＡに含まれる最も著しい不良画像ＤＥＦを検出し、その不良画像ＤＥＦの位置および大きさ、およびその不良画像ＤＥＦに対応するランドマーク画像ＬＭ１の位置を検出する。そして、第１の画像診断部２３は、不良画像ＤＥＦに基づいて不良画像データＤＩを生成するとともに、診断画像データＡにおける不良画像ＤＥＦの位置および大きさ、およびそのランドマーク画像ＬＭ１の位置とについての情報に基づいて不良属性情報ＡＴＲを生成する。サーバ２０の通信部２１は、不良画像データＤＩおよび不良属性情報ＡＴＲを、ネットワークＮＥＴを介して携帯端末３０に対して送信する。携帯端末３０の通信部３１は、この不良画像データＤＩおよび不良属性情報ＡＴＲを受信する。
【００４３】
次に、携帯端末３０は、現撮像画像データＩＭＧ１を生成しつつ、案内マークＭ１、照準マークＭ２、および操作指示情報ＮＡＶＩを表示する（ステップＳ１０６）。具体的には、撮像部３７が、記録媒体に形成された診断チャートＤＣを撮像することにより現撮像画像データＩＭＧ１を生成し、案内情報生成部３３が、不良属性情報ＡＴＲに基づいて案内マークＭ１、照準マークＭ２、および操作指示情報ＮＡＶＩを生成し、表示部３６は、これらの案内マークＭ１、照準マークＭ２、および操作指示情報ＮＡＶＩを表示する。ユーザは、表示部３６に表示された指示に基づいて、撮像部３７が、不良画像ＤＥＦを拡大して撮像できるように、携帯端末３０の姿勢を変更し、あるいは携帯端末３０の操作部３５を操作する。具体的には、後述するように、ユーザは、例えば携帯端末３０を診断チャートＤＣが形成された記録媒体に近づけ、あるいは、操作部３５に対してピンチインやピンチアウトのジェスチャー操作を行う。
【００４４】
次に、携帯端末３０の撮像部３７は、診断チャートＤＣにおける不良画像ＤＥＦを拡大して撮像することにより、不良画像ＤＥＦの拡大画像を示す診断画像データＢを生成する（ステップＳ１０７）。携帯端末３０の通信部３１は、この診断画像データＢを、ネットワークＮＥＴを介してサーバ２０に対して送信する。サーバ２０の通信部２１は、この診断画像データＢを受信する。
【００４５】
次に、サーバ２０の第２の画像診断部２４は、この診断画像データＢに基づいて、第２の画像診断を行う（ステップＳ１０８）。具体的には、第２の画像診断部２４は、診断画像データＢに基づいて、記憶部２６に記憶された不良判別情報２７を用いて、どのような種類の不良が発生したかを診断する。
【００４６】
次に、サーバ２０の印刷設定値生成部２５は、第２の画像診断部２４による診断結果に基づいて、記憶部２６に記憶された不良判別情報２７を用いて、画像形成装置４０が設定すべき印刷設定値ＰＳを生成する（ステップＳ１０９）。サーバ２０の通信部２１は、この印刷設定値ＰＳを、ネットワークＮＥＴを介して画像形成装置４０に対して送信する。画像形成装置４０は、この印刷設定値ＰＳを受信する。
【００４７】
そして、画像形成装置４０は、この印刷設定値ＰＳに基づいて画像形成条件を更新する（ステップＳ１１０）。
【００４８】
以上で、この処理は終了する。
【００４９】
次に、画像形成装置４０が生成した画像に不良が生じる場合の動作について、詳細に説明する。
【００５０】
図４は、画像に不良が生じた場合における画像診断システム１の一動作例を表すものである。この例では、画像診断システム１は、不良が発生している診断チャートＤＣ（図２Ｂ）に基づいて画像診断を行う。以下に、この動作について、詳細に説明する。
【００５１】
まず、携帯端末３０の撮像部３７は、記録媒体に形成された診断チャートＤＣの全体を撮像することにより、診断画像データＡを生成する（ステップＳ２０１）。これにより、撮像部３７は、診断チャートＤＣの全体画像を示す診断画像データＡを生成する。
【００５２】
携帯端末３０は、サーバ２０に診断画像データＡを送信する（ステップＳ２０２）。
【００５３】
サーバ２０の第１の画像診断部２３は、診断画像データＡに基づいて第１の画像診断を行う（ステップＳ２０３）。第１の画像診断部２３は、不良画像ＤＥＦの位置および大きさ、および不良画像ＤＥＦに対応するランドマーク画像ＬＭ１の位置を検出する。
【００５４】
図５は、サーバ２０の第１の画像診断部２３における一動作例を表すものである。この例では、第１の画像診断部２３は、診断画像データＡに基づいて、不良画像ＤＥＦを検出し、図５において破線で示した不良画像ＤＥＦを囲う矩形領域１００を設定し、この矩形領域１００に含まれる画像データに基づいて不良画像データＤＩを生成する。そして、第１の画像診断部２３は、不良画像ＤＥＦに対応するランドマーク画像ＬＭ１の位置と、矩形領域１００の位置および大きさとに基づいて、不良属性情報ＡＴＲを生成する。この例では、矩形領域１００の位置は、例えば矩形領域１００の中央における座標（代表座標）であり、この代表座標は、（Ｘ，Ｙ）＝（１３００，２４００）で表される。また、矩形領域１００の大きさは、（幅，高さ）＝（５００，６００）で表される。この例では、不良画像ＤＥＦに対応するランドマーク画像ＬＭ１は、複数のランドマーク画像ＬＭのうちの、不良画像ＤＥＦの最近傍にある“８”の数字を示すランドマーク画像である。第１の画像診断部２３は、診断画像データＡに基づいて、ランドマーク画像ＬＭ１の位置を求める。なお、不良属性情報ＡＴＲは、診断チャートＤＣに含まれる、すべてのランドマーク画像ＬＭの位置の情報を含んでいてもよい。第１の画像診断部２３は、診断画像データＡにおける診断チャートＤＣの向きが傾いている場合には、回転補正などの、診断に適した補正を行うことができる。
【００５５】
図４に示したように、サーバ２０は、不良画像データＤＩおよび不良属性情報ＡＴＲを、携帯端末３０に送信する（ステップＳ２０４）。
【００５６】
携帯端末３０は、診断チャートＤＣを撮像することにより現撮像画像データＩＭＧ１を生成し、案内マークＭ１、照準マークＭ２、および操作指示情報ＮＡＶＩを表示する。（ステップＳ２０５）。具体的には、携帯端末３０の撮像部３７は、診断チャートＤＣを撮像することにより現撮像画像データＩＭＧ１を生成し、案内情報生成部３３は、現撮像画像データＩＭＧ１および不良属性情報ＡＴＲに基づいて、案内マークＭ１、照準マークＭ２、および操作指示情報ＮＡＶＩを生成し、表示部３６は、これらの案内マークＭ１、照準マークＭ２、および操作指示情報ＮＡＶＩを表示する。ユーザは、この表示部３６に表示された指示に基づいて、撮像部３７が不良画像ＤＥＦを拡大して撮像できるように、携帯端末３０の姿勢を変更し、あるいは携帯端末３０の操作部３５を操作する。このステップＳ２０５について、詳細な動作は後述する。
【００５７】
携帯端末３０の撮像部３７は、診断チャートＤＣにおける不良画像ＤＥＦを拡大して撮像することにより、不良画像ＤＥＦの拡大画像を示す診断画像データＢを生成する（ステップＳ２０６）。この診断画像データＢは、不良画像ＤＥＦを拡大した画像であり、診断画像データＡと比べて、不良画像ＤＥＦにおける解像度が高い画像データである。
【００５８】
携帯端末３０は、診断画像データＢをサーバ２０に送信する（ステップＳ２０７）。
【００５９】
サーバ２０の第２の画像診断部２４は、診断画像データＢに基づいて、記憶部２６に記憶された不良判別情報２７を用いて、第２の画像診断を行う（ステップＳ２０８）。第２の画像診断部２４は、診断チャートＤＣに含まれる不良画像ＤＥＦに基づいて特徴量を抽出し、抽出した特徴量を不良判別情報２７を用いて解析することにより、抽出した特徴量がどの不良の種別にあてはまるのかを診断する。
【００６０】
サーバ２０の印刷設定値生成部２５は、第２の画像診断部２４の診断結果に基づき、印刷設定値ＰＳを生成する（ステップＳ２０９）。第２の画像診断部２４は、不良画像ＤＥＦがどのような不良の種別であるか特定したので、そのような不良の改善を図ることが可能な印刷設定値ＰＳを生成することができる。
【００６１】
サーバ２０は、画像形成装置４０に印刷設定値ＰＳを送信する（ステップＳ２１０）。
【００６２】
画像形成装置４０は、受信した印刷設定値ＰＳに基づき、画像形成条件を更新する（ステップＳ２１１）。
【００６３】
以上で、このシーケンスは終了する。
【００６４】
次に、この図４に示した、携帯端末３０が現撮像画像データＩＭＧ１を生成しつつ操作指示情報ＮＡＶＩを表示し、診断画像データＢを生成する動作（ステップＳ２０５，Ｓ２０６）について、より具体的に説明する。
【００６５】
図６は、図４のステップＳ２０５，Ｓ２０６における携帯端末３０の動作の一例を表すものである。携帯端末３０の撮像部３７は、例えば、記録媒体に形成された診断チャートＤＣを繰り返し撮像することにより、現撮像画像データＩＭＧ１を繰返し生成する。そして、この現撮像画像データＩＭＧ１に基づいて、不良画像ＤＥＦの拡大画像が高い解像度で得られるようになったときに、撮像部３７は、診断画像データＢを生成する。以下にこの動作について詳細に説明する。
【００６６】
まず、携帯端末３０の撮像部３７は、少なくとも１つのランドマーク画像ＬＭを含むように診断チャートＤＣを撮像し、現撮像画像データＩＭＧ１を生成する（ステップＳ３０１）。
【００６７】
図７は、撮像部３７が撮像する現撮像画像データＩＭＧ１の一例を表すものである。現撮像画像データＩＭＧ１は、この例では、不良画像ＤＥＦ、“８”の数字を示すランドマーク画像ＬＭ１、および“５”の数字を示すランドマーク画像ＬＭ２を含んでいる。ここで、ランドマーク画像ＬＭ１は、診断画像データＡにおいて、不良画像ＤＥＦと対応付けたものである。
【００６８】
携帯端末３０の案内情報生成部３３は、ステップＳ３０１において生成した現撮像画像データＩＭＧ１に基づいて、現撮像画像データＩＭＧ１が診断チャートＤＣにおけるどの領域の画像を含むかを推定する（ステップＳ３０２）。具体的には、案内情報生成部３３は、現撮像画像データＩＭＧ１におけるランドマーク画像ＬＭ１を検出し、このランドマーク画像ＬＭ１の、位置、大きさ、および向きを特定する。そして、案内情報生成部３３は、例えば、特定されたランドマーク画像ＬＭ１についての情報、および画像形成装置４０が診断チャートＤＣを形成したときに使用した所定の診断チャートデータに基づいて、現撮像画像データＩＭＧ１が診断画像データＡにおけるどの領域の画像を含むかを推定できる。また、例えば、不良属性情報ＡＴＲが、診断チャートＤＣに含まれる、すべてのランドマーク画像ＬＭの位置の情報を含んでいる場合には、案内情報生成部３３は、特定されたランドマーク画像ＬＭ１についての情報、およびこの不良属性情報ＡＴＲに基づいて、現撮像画像データＩＭＧ１が診断画像データＡにおけるどの領域の画像を含むかを推定できる。
【００６９】
次に、携帯端末３０の案内情報生成部３３は、現撮像画像データＩＭＧ１における案内マークＭ１の位置および大きさを算出する（ステップＳ３０３）。
【００７０】
まず、案内情報生成部３３は、診断画像データＡにおける不良画像ＤＥＦおよびランドマーク画像ＬＭ１の間の位置関係と、現撮像画像データＩＭＧ１におけるランドマーク画像ＬＭ１の位置に基づいて、不良画像ＤＥＦの位置を算出する。具体的には、案内情報生成部３３は、診断画像データＡにおけるランドマーク画像ＬＭ１の代表座標および不良画像ＤＥＦの代表座標の間の画像距離ＤＩＳを算出する。なお、第１の画像診断部２３が画像距離ＤＩＳを算出し、サーバ２０が、この算出結果を不良属性情報ＡＴＲを用いて携帯端末３０に供給してもよい。また、案内情報生成部３３は、現撮像画像データＩＭＧ１におけるランドマーク画像ＬＭ１の大きさおよび診断画像データＡにおけるランドマーク画像ＬＭ１の大きさの画像比ＳＣを算出する。また、案内情報生成部３３は、現撮像画像データＩＭＧ１におけるランドマーク画像ＬＭ１の向きを検出する。そして、案内情報生成部３３は、現撮像画像データＩＭＧ１におけるランドマーク画像ＬＭ１の代表座標を基準に、ランドマーク画像ＬＭ１の向き、画像距離ＤＩＳ、および画像比ＳＣに基づいて、座標変換を行うことにより、不良画像ＤＥＦの位置を算出する。このように、案内情報生成部３３は、現撮像画像データＩＭＧ１におけるランドマーク画像ＬＭ１の向きに基づいて座標変換を行うことにより、撮像範囲に対して診断チャートＤＣが傾いて撮像された場合においても、不良画像ＤＥＦの位置を正しく推定できる。
【００７１】
そして、案内情報生成部３３は、不良属性情報ＡＴＲに含まれる不良画像ＤＥＦの大きさについての情報、および画像比ＳＣに基づいて、不良画像ＤＥＦの大きさを算出する。
【００７２】
そして、案内情報生成部３３は、算出した不良画像ＤＥＦの位置および大きさに基づいて、案内マークＭ１の位置および大きさを算出する。
【００７３】
次に、表示部３６は、案内マークＭ１および照準マークＭ２を、現撮像画像データＩＭＧ１に同時に表示する（ステップＳ３０４）。
【００７４】
図８は、現撮像画像データＩＭＧ１に同時に表示された案内マークＭ１および照準マークＭ２の一例を表すものである。この例では、案内マークＭ１は、不良画像ＤＥＦを囲う枠形状を有している。案内マークＭ１の大きさは、現撮像画像データＩＭＧ１における不良画像ＤＥＦの大きさと同じでもよいし、異なっていてもよい。照準マークＭ２は、不良画像ＤＥＦを拡大して撮像するために、案内マークＭ１が配置されるべき位置に、所定の大きさで表示される。照準マークＭ２は、この例では、枠の４つの角を示す４つのマークを含んでいる。これらの４つのマークは、例えば、表示部３６の表示画面における所定の位置に表示される。なお、ランドマーク画像ＬＭ１が現撮像画像データＩＭＧ１に含まれていない場合には、現撮像画像データＩＭＧ１における不良画像ＤＥＦの位置が算出されないため、案内マークＭ１は表示されない。
【００７５】
次に、案内情報生成部３３は、案内マークＭ１が照準マークＭ２と一致したか否かを判定する（ステップＳ３０５）。案内マークＭ１は照準マークＭ２と厳密に一致する必要はなく、所定の条件を満たしたときに、案内マークＭ１が照準マークＭ２と一致したと判断すればよい。例えば、照準マークＭ２の大きさが案内マークＭ１の大きさと所定の範囲内で一致し、かつ案内マークＭ１の位置が照準マークＭ２の位置と所定の範囲内で一致した場合に、案内情報生成部３３は、案内マークＭ１が照準マークＭ２と一致したと判断することができる。案内マークＭ１が照準マークＭ２と一致しなかった場合（ステップＳ３０５において“ＮＯ”）、案内情報生成部３３は、操作指示情報ＮＡＶＩを表示する（ステップＳ３０６）。
【００７６】
図９は、表示部３６に表示された操作指示情報ＮＡＶＩの一例を表すものである。図９において、表示部３６は、現撮像画像データＩＭＧ１に同時に、操作指示情報ＮＡＶＩを表示する。この図９の例では、案内マークＭ１は照準マークＭ２と一致していない。案内情報生成部３３は、案内マークＭ１を照準マークＭ２にあわせるために必要な操作指示として、撮影領域を移動・拡大して案内マークＭ１を照準マークＭ２にあわせるようにユーザに促す操作指示情報ＮＡＶＩを生成し、表示部３６にその情報を表示させる。
【００７７】
例えば、ランドマーク画像ＬＭ１より上部にあるランドマーク画像ＬＭのみが現撮像画像データＩＭＧ１に含まれていた場合には、表示部３６は、撮影領域を診断チャートＤＣの下方に移動させる旨の操作指示情報ＮＡＶＩを表示することができる。また、例えば、照準マークＭ２の大きさに対して案内マークＭ１の大きさの比率が所定の範囲内でない場合には、表示部３６は、携帯端末３０を診断チャートＤＣが形成された記録媒体に近づける旨、または光学ズームなどにより撮像画像を拡大する旨の操作指示情報ＮＡＶＩを表示することができる。操作指示情報ＮＡＶＩは、ユーザに、例えば、フリック、ピンチイン、ピンチアウトなどのジェスチャー操作を促すものであってもよい。また、例えば、現撮像画像データＩＭＧ１において診断チャートＤＣが傾いている場合には、表示部３６は、撮影領域の向きを変更させる旨の操作指示情報ＮＡＶＩを表示することができる。このような操作指示情報ＮＡＶＩを表示した後、ステップＳ３０１に戻り、案内マークＭ１が照準マークＭ２と一致するまで、ステップＳ３０１〜Ｓ３０６の動作を繰り返す。
【００７８】
案内マークＭ１が照準マークＭ２と一致した場合（ステップＳ３０５において“ＹＥＳ”）、撮像部３７は、診断チャートＤＣを撮像することにより、診断画像データＢを生成する（ステップＳ３０７）。
【００７９】
図１０は、案内マークＭ１が照準マークＭ２と一致した場合における、表示部３６の表示画面の一例を表すものである。表示部３６は、現撮像画像データＩＭＧ１に同時に、案内マークＭ１および照準マークＭ２を表示している。案内マークＭ１は照準マークＭ２と一致しているので、表示部３６は、撮像を促す旨の操作指示情報ＮＡＶＩを表示している。なお、操作指示情報ＮＡＶＩは、これに限定されるものではなく、画像を撮影してよいことをユーザに伝えることができる情報であればどのようなものであってもよい。具体的には、例えば、案内マークＭ１と照準マークＭ２が一致した場合に、案内マークＭ１の色を変えるようにしてもよい。携帯端末３０のユーザは、操作指示情報ＮＡＶＩに基づいて、操作部３５を用いて撮像操作を行い、撮像部３７は診断チャートＤＣを撮像することにより診断画像データＢを生成する。なお、これに限定されるものではなく、案内マークＭ１が照準マークＭ２と一致した場合、ユーザが撮像操作を行うことなく、撮像部３７が診断チャートＤＣを撮像してもよい。このようにして生成された診断画像データＢは、診断画像データＡに比べて、不良画像ＤＥＦにおける解像度が高い画像データである。
【００８０】
以上で、このフローは終了する。
【００８１】
このように、画像診断システム１では、サーバ２０の第１の画像診断部２３が、画像形成装置４０が形成した診断チャートＤＣの全体画像を示す診断画像データＡに基づいて、第１の画像診断を行うようにした。そして、画像に不良が発生した場合には、携帯端末３０は、不良画像ＤＥＦを拡大して撮像するようにユーザに促すことにより、不良画像ＤＥＦの拡大画像を示す診断画像データＢを生成するようにした。そして、サーバ２０の第２の画像診断部２４は、この診断画像データＢに基づいて第２の画像診断を行い、印刷設定値生成部２５が、その診断結果に基づいて、印刷設定値ＰＳを生成するようにした。これにより、画像診断システム１では、この印刷設定値ＰＳに基づいて画像形成装置４０における画像形成条件を更新することができるので、画質を高めることができる。
【００８２】
すなわち、診断チャートＤＣの全体画像を示す診断画像データＡのみに基づいて画像診断を行う場合には、その全体画像の一部である不良画像ＤＥＦに対しては十分な情報を得られないので、不良の種別を適切に診断できないことがあり得る。一方、画像診断システム１では、第２の画像診断部２４は、診断画像データＢに基づいて、不良画像ＤＥＦに対して詳細な情報を取得し画像を診断するようにした。これにより、不良画像ＤＥＦの細かなテクスチャを読み取ることができるので、どのような種別の不良が発生したかを高精度で診断することができる。その結果、画像診断システム１では、画像診断の精度を向上することができ、画質を高めることができる。
【００８３】
また、画像診断システム１では、案内情報生成部３３は、診断画像データＡにおける不良画像ＤＥＦおよびランドマーク画像ＬＭ１の間の位置関係と、現撮像画像データＩＭＧ１におけるランドマーク画像ＬＭ１の位置に基づいて、現撮像画像データＩＭＧ１に配置される案内マークＭ１の位置を算出するようにした。そして、表示部３６は、案内マークＭ１および照準マークＭ２を表示し、ユーザに、案内マークＭ１が照準マークＭ２と一致するように促すようにした。これにより、撮像部３７は、不良画像ＤＥＦの拡大画像を示す、診断画像データＢを生成することができる。その結果、画像診断システム１では、不良画像ＤＥＦの画像診断ができるので、画質を高めることができる。
【００８４】
また、画像診断システム１では、案内情報生成部３３は、例えば、診断画像データＡにおけるランドマーク画像ＬＭ１の大きさと、現撮像画像データＩＭＧ１におけるランドマーク画像ＬＭ１の大きさと、診断画像データＡにおける不良画像ＤＥＦの大きさとに基づいて、現撮像画像データＩＭＧ１における案内マークＭ１の大きさを算出するようにした。そして、表示部３６は、案内マークＭ１および照準マークＭ２を表示し、ユーザに、案内マークＭ１が照準マークＭ２と一致するように促すようにした。これにより、撮像部３７は、不良画像ＤＥＦの拡大画像を示す、解像度が高い診断画像データＢを生成することができる。その結果、画像診断システム１では、不良画像ＤＥＦの高解像画像データを用いた画像診断ができるので、画質を高めることができる。
【００８５】
また、画像診断システム１では、案内情報生成部３３は、不良画像ＤＥＦを拡大して撮像するようにユーザに促すメッセージ情報である操作指示情報ＮＡＶＩを生成するようにした。具体的には、案内情報生成部３３は、案内マークＭ１を照準マークＭ２に一致させるための具体的な操作についてのメッセージ情報を生成するようにした。これにより、携帯端末３０のユーザに、案内マークＭ１を照準マークＭ２に一致させるためにどのようにすべきか、必要な操作を知らせることができる。その結果、画像診断システム１では、ユーザの利便性を高めることができることができる。
【００８６】
また、画像診断システム１では、案内情報生成部３３は、第１の画像診断部２３が診断した不良画像ＤＥＦに基づいて、案内マークＭ１を生成するようにした。これにより、画像診断システム１では、診断画像データＢを生成する際、携帯端末３０のユーザが、主観的に不良と判断できない箇所に対しても、案内マークＭ１に基づいて不良画像ＤＥＦを撮像できるので、画質を高めることができる。
【００８７】
［効果］
以上のように本実施の形態では、ユーザに対して、不良画像を拡大して撮像するようにユーザに促すことにより、不良画像の画像データの拡大画像を示す診断画像データＢを生成し、この診断画像データＢに基づいて第２の画像診断を行い、その診断結果に基づいて、印刷設定値を生成するようにした。これにより、この印刷設定値に基づいて画像形成装置における画像形成条件を更新することができるので、画質を高めることができる。
【００８８】
本実施の形態では、診断画像データＡにおける不良画像およびランドマーク画像ＬＭ１の間の位置関係と、現撮像画像データにおけるランドマーク画像ＬＭ１の位置に基づいて、現撮像画像データに配置される案内マークの位置を算出し、案内マークおよび照準マークを表示し、ユーザに、案内マークが照準マークと一致するように促すようにした。これにより、不良画像の拡大画像を示す診断画像データＢを生成することができるので、画質を高めることができる。
【００８９】
本実施の形態では、診断画像データＡにおけるランドマーク画像ＬＭ１の大きさと、現撮像画像データにおけるランドマーク画像ＬＭ１の大きさと、診断画像データＡにおける不良画像の大きさとに基づいて、現撮像画像データにおける案内マークの大きさを算出し、案内マークおよび照準マークを表示し、ユーザに、案内マークが照準マークと一致するように促すようにした。これにより、不良画像の拡大画像を示す、解像度が高い診断画像データＢを生成することができるので、画質を高めることができる。
【００９０】
本実施の形態では、不良画像を拡大して撮像するようにユーザに促すメッセージ情報である操作指示情報を生成するようにした。これにより、携帯端末のユーザに、案内マークを照準マークに一致させるためにどのようにすべきか、必要な操作を知らせることができるので、ユーザの利便性を高めることができる。
【００９１】
本実施の形態では、第１の画像診断部が診断した不良画像に基づいて、案内マークを生成するようにしたので、ユーザが主観的に不良と判断できない箇所に対しても案内マークＭ１に基づいて不良画像を撮像できるので、画質を高めることができる。
【００９２】
［変形例１］
上記実施の形態では、サーバ２０が、第１の画像診断部２３、第２の画像診断部２４、印刷設定値生成部２５、および不良判別情報２７を有するようにしたが、これに限定されるものではない。これに代えて、例えば、携帯端末が、第１の画像診断部、第２の画像診断部、印刷設定値生成部、および不良判別情報のうちの一部またはすべてを有するようにしてもよい。以下に、携帯端末が、第１の画像診断部、第２の画像診断部、印刷設定値生成部、および不良判別情報を有する場合を例に挙げて、詳細に説明する。
【００９３】
図１１は、本変形例に係る画像診断システム２の一構成例を表すものである。画像診断システム２は、携帯端末５００と、画像形成装置４０とを備えている。携帯端末５００は、通信部３１と、制御部５３２と、記憶部５３４と、操作部３５と、表示部３６と、撮像部３７とを有している。制御部５３２は、案内情報生成部３３と、第１の画像診断部５２３と、第２の画像診断部５２４と、印刷設定値生成部５２５とを有している。第１の画像診断部５２３は、上記実施の形態に係る第１の画像診断部２３（図１）に対応する。同様に、第２の画像診断部５２４は、上記実施の形態に係る第２の画像診断部２４（図１）に対応し、印刷設定値生成部５２５は、上記実施の形態に係る印刷設定値生成部２５（図１）に対応する。記憶部５３４は、不良判別情報２７を記憶している。
【００９４】
ここで、第１の画像診断部５２３は、本発明における「位置算出部」の一具体例に対応する。第２の画像診断部５２４および印刷設定値生成部５２５は、本発明における「画像診断部」の一具体例に対応する。
【００９５】
図１２は、画像に不良が生じた場合における画像診断システム２の一動作例を表すものである。
【００９６】
まず、携帯端末５００の撮像部３７は、診断チャートＤＣの全体を撮像することにより、診断画像データＡを生成する（ステップＳ４０１）。
【００９７】
次に、第１の画像診断部５２３は、上記実施の形態に係る第１の画像診断部２３と同様に、この診断画像データＡに基づいて、第１の画像診断を行う（ステップＳ４０２）。これにより、第１の画像診断部５２３は、不良画像データＤＩおよび不良属性情報ＡＴＲを生成する。
【００９８】
なお、不良が発生していない場合には、案内情報生成部３３が、不良が発生していないことを案内する情報を生成し、表示部３６が、不良が発生していない旨の情報を表示してもよい。
【００９９】
次に、携帯端末５００は、上記実施の形態に係る携帯端末３０と同様に、診断チャートＤＣを撮像することにより現撮像画像データＩＭＧ１を生成し、案内マークＭ１、照準マークＭ２、および操作指示情報ＮＡＶＩを表示する。（ステップＳ４０３）。
【０１００】
次に、撮像部３７は、診断チャートＤＣにおける不良画像ＤＥＦを拡大して撮像することにより、不良画像ＤＥＦの拡大画像を示す診断画像データＢを生成する（ステップＳ４０４）。
【０１０１】
次に、第２の画像診断部５２４は、上記実施の形態に係る第２の画像診断部２４と同様に、診断画像データＢに基づいて、不良判別情報２７を用いて第２の画像診断を行う（ステップＳ４０５）。
【０１０２】
次に、印刷設定値生成部５２５は、上記実施の形態に係る印刷設定値生成部２５と同様に、第２の画像診断部５２４の診断結果に基づき、印刷設定値ＰＳを生成する（ステップＳ４０６）。
【０１０３】
次に、携帯端末５００は、上記実施の形態に係る携帯端末３０と同様に、画像形成装置４０に印刷設定値ＰＳを送信する（ステップＳ４０７）。
【０１０４】
そして、画像形成装置４０は、受信した印刷設定値ＰＳに基づき画像形成条件を更新する（ステップＳ４０８）。
【０１０５】
以上で、このシーケンスは終了する。
【０１０６】
［変形例２］
上記実施の形態では、携帯端末３０の制御部３２に案内情報生成部３３を設け、携帯端末３０が、案内マークＭ１、照準マークＭ２、および操作指示情報ＮＡＶＩを生成するようにしたが、これに限定されるものではない。これに代えて、例えば、サーバの制御部に案内情報生成部を設け、サーバが、案内マークＭ１、照準マークＭ２、および操作指示情報ＮＡＶＩを生成するようにしてもよい。
【０１０７】
［変形例３］
上記実施の形態では、案内情報生成部３３は、現撮像画像データＩＭＧ１と診断画像データＡにおけるランドマーク画像ＬＭ１の大きさに基づいて画像比ＳＣを算出したが、これに限定されるものではない。これに代えて、例えば、現撮像画像データＩＭＧ１および診断画像データＡが、２つのランドマーク画像ＬＭを含む場合において、案内情報生成部３３は、現撮像画像データＩＭＧ１におけるこれらのランドマーク画像ＬＭの間の距離と、診断画像データＡにおけるこれらのランドマーク画像ＬＭの間の距離との比率に基づいて画像比ＳＣを算出してもよい。
【０１０８】
［変形例４］
上記実施の形態では、案内情報生成部３３は、現撮像画像データＩＭＧ１におけるランドマーク画像ＬＭ１の向きに基づいて、撮像した診断チャートＤＣの向きを検出したが、これに限定されるものではない。これに代えて、例えば、案内情報生成部３３は、現撮像画像データＩＭＧ１における２つのランドマーク画像ＬＭの並び方向に基づいて、撮像した診断チャートＤＣの向きを検出してもよい。
【０１０９】
［変形例５］
上記実施の形態では、診断チャートＤＣは、一面黒色で塗り潰され、数字を含むランドマーク画像ＬＭが、所定の間隔をあけて配置されたものとしたが、これに限定されるものではなく、不良個所を特定できるものであれば、どのようなものであってもよい。以下に、本変形例について詳細に説明する。
【０１１０】
図１３は、本変形例に係る診断チャートＤＣの一例を表すものである。本変形例に係る診断チャートＤＣは、互いに異なる色で塗り潰された複数の領域を有している。図１３において、複数の網かけ部は、互いに異なる色で塗り潰されていることを示す。この診断チャートＤＣにおける複数のランドマーク画像ＬＭは、外周の４辺に対応する４つの外周線ＯＬおよび領域を区画する複数の境界線ＢＬに設けられた点画像である。これらの点画像は、この例では、領域の境界線ＢＬが互いに交わる点、境界線ＢＬと外周線ＯＬとが互いに交わる点、外周線ＯＬが互いに交わる点に設けられる。このランドマーク画像ＬＭは、大きさの情報をもたない点画像である。
【０１１１】
この場合には、案内情報生成部３３は、変形例３に示したように、例えば、現撮像画像データＩＭＧ１における２つのランドマーク画像ＬＭの間の距離と、診断画像データＡにおけるこれらのランドマーク画像ＬＭの間の距離との比率に基づいて画像比ＳＣを算出してもよい。また、案内情報生成部３３は、変形例４に示したように、現撮像画像データＩＭＧ１における２つのランドマーク画像ＬＭの並び方向に基づいて、撮像した診断チャートＤＣの向きを検出してもよい。
【０１１２】
［変形例６］
上記実施の形態では、サーバ２０は、ネットワークＮＥＴを介して、画像形成装置４０に印刷設定値ＰＳを送信するようにしたが、これに限定されるものではなく、これに代えて、例えば、携帯端末３０に印刷設定値ＰＳを送信してもよい。この場合、携帯端末３０は、表示部３６に印刷設定値ＰＳを表示し、携帯端末３０のユーザは、印刷設定値ＰＳに基づいて、画像形成装置４０の操作部を操作することにより、画像形成装置４０の設定値を設定することができる。また、携帯端末３０は、画像形成装置４０へ、ネットワークＮＥＴを介さずに例えばＮＦＣ（Near Field Communication）、赤外線通信などを用いて印刷設定値ＰＳを供給してもよい。
【０１１３】
［変形例７］
上記実施の形態では、携帯端末３０の撮像部３７が診断画像データＡを生成したが、これに限定されるものではなく、これに代えて、例えば、携帯端末３０以外の撮像部を有する装置が診断画像データＡを生成してもよい。携帯端末３０以外の撮像部を有する装置は、例えば、携帯端末であってもよいし、スキャナ装置であってもよい。
【０１１４】
［変形例８］
上記実施の形態では、案内マークＭ１および照準マークＭ２は、特定の領域を示す枠としたが、これに限定されるものではない。これに代えて、例えば、領域を塗りつぶしたもの、十字マーク、またはそれらの組合せなど、位置および大きさを表現可能なものであればどのような形状であってもよい。
【０１１５】
［変形例９］
上記実施の形態では、表示部３６は、不良画像ＤＥＦを囲う破線枠が配置されるべき領域を示す照準マークＭ２を表示したが、これに限定されるものではない。これに代えて、例えば、照準マークＭ２を表示しなくてもよい。この場合には、表示部３６の表示領域が照準マークＭ２として機能する。言い換えれば、現撮像画像データＩＭＧ１が示す全画像領域が、照準マークＭ２として機能する。
【０１１６】
［変形例１０］
上記実施の形態では、不良画像ＤＥＦに着目し画像診断を行ったが、これに限定されるものではなく、これに代えて、例えば、不良画像ＤＥＦ以外の画像に着目してもよい。具体的には、例えば、高品質の画像に着目し画像診断を行ってもよい。この場合には、高品質の画像が、本発明における「着目画像」の一具体例に対応する。
【０１１７】
［その他の変形例］
また、これらの変形例のうちの２以上を組み合わせてもよい。
【０１１８】
以上、実施の形態およびいくつかの変形例を挙げて本技術を説明したが、本技術はこれらの実施の形態等には限定されず、種々の変形が可能である。
【０１１９】
例えば、上記の実施の形態等では、本技術を単機能のプリンタに適用したが、これに限定されるものではない。これに代えて、例えば、コピー機能、ファックス機能、スキャン機能、プリント機能などを有する、いわゆる多機能周辺装置（MFP；Multi Function Peripheral）に適用してもよい。
【０１２０】
例えば、上記の実施の形態等では、サーバ２０、携帯端末３０、および画像形成装置４０は、インターネットであるネットワークＮＥＴを介して互いに通信を行うようにしたがこれに限定されるものではない。これに代えて、例えば、インターネットであるネットワークＮＥＴを介さずに、ＬＡＮ、赤外線通信、ＵＳＢ（Universal Serial Bus）などを用いて互いに通信を行うようにしてもよい。
【符号の説明】
【０１２１】
１，２…画像診断システム、２０…サーバ、２１…通信部、２２…制御部、２３，５２３…第１の画像診断部、２４，５２４…第２の画像診断部、２５，５２５…印刷設定値生成部、２６…記憶部、２７…不良判別情報、３０，５００…携帯端末、３１…通信部、３２，５３２…制御部、３３…案内情報生成部、３４，５３４…記憶部、３５…操作部、３６…表示部、３７…撮像部、１００…矩形領域、Ａ，Ｂ…診断画像データ、ＡＴＲ…不良属性情報、ＢＬ…境界線、ＤＣ…診断チャート、ＤＥＦ…不良画像、ＤＩ…不良画像データ、ＩＭＧ１…現撮像画像データ、ＬＭ，ＬＭ１，ＬＭ２…ランドマーク画像、Ｍ１…案内マーク、Ｍ２…照準マーク、ＮＡＶＩ…操作指示情報、ＮＥＴ…ネットワーク、ＯＬ…外周線、ＳＣ…画像比。
【図１】
2020140366.tif 000003
【図２Ａ】
2020140366.tif 000004
【図２Ｂ】
2020140366.tif 000005
【図３】
2020140366.tif 000006
【図４】
2020140366.tif 000007
【図５】
2020140366.tif 000008
【図６】
2020140366.tif 000009
【図７】
2020140366.tif 000010
【図８】
2020140366.tif 000011
【図９】
2020140366.tif 000012
【図１０】
2020140366.tif 000013
【図１１】
2020140366.tif 000014
【図１２】
2020140366.tif 000015
【図１３】
2020140366.tif 000016